(57)【特許請求の範囲】
【請求項１】
下面にシート部を有したハウジングと、
該ハウジングの下側に配置されており、該シート部に対し接触及び離反可能な止水弁体と、
該ハウジングから突設された通気筒と
を有し、該ハウジング内が該通気筒を介して大気に連通されるバキュームブレーカにおいて、
該ハウジング又は通気筒に、大気連通用の小孔を設けたバキュームブレーカであって、
該小孔は該通気筒に設けられており、該通気筒の該小孔よりも先端側に排水用のホースが接続されていることを特徴とするバキュームブレーカ。
【請求項２】
請求項１において、該小孔に異物が入り込むのを防止するためのカバーが設けられていることを特徴とするバキュームブレーカ。
【請求項３】
請求項２において、該カバーの一部がハウジングとホース端面との間に介在していることを特徴とするバキュームブレーカ。
【発明の詳細な説明】
【０００１】
【発明の属する技術分野】
本発明はバキュームブレーカに係り、特に、洋風便器等に設けられ、人体臀部を温水で洗浄するための温水洗浄装置に用いられるのに好適なバキュームブレーカに関する。
【０００２】
【従来の技術】
この種の温水洗浄装置は、周知の通り洗浄ノズルから温水を人体臀部に向けて噴出して該臀部を洗浄するものであり、通常は、シャワーノズル（肛門洗浄ノズル）とビデノズルとの２個のノズルが設けられている。シャワースイッチと称される第１の洗浄スイッチを操作する（例えば、押す、触れる、又は指先を近づける）と、温水源からの温水がシャワーノズルに供給される。また、ビデスイッチと称される第２の洗浄スイッチを操作すると、ビデノズルへ温水が供給される。
【０００３】
第７図は従来例に係る温水洗浄装置の系統図であり、水道水が配管１及び弁２を介して温水タンク３に導入され、ヒータ４によって加温されて温水となる。
【０００４】
この温水は、ホースよりなる配管６、流量調節弁（流調弁）７、配管８、切替弁９及び配管１０を介してシャワーノズル１１へ供給可能とされると共に、該切替弁９から配管１２を介してビデノズル１３へ供給可能とされている。流量調節弁７には手動用のダイヤル７ａが設けられている。
【０００５】
該切替弁９は配管８を配管１０又は１２へ連通させるようにソレノイド又はモータ等の動力手段（図示略）によって切替動作する。
【０００６】
シャワーノズル１１及びビデノズル１３は、いずれも水圧によって突出するノズル本体１１ａ，１３ａを有し、該ノズル本体１１ａ，１３ａの先端側の上面に温水の噴出孔が設けられている。ただし、このような水圧前進式以外のモータ前進式の洗浄ノズルを用いた温水洗浄装置についても本発明を適用できる。
【０００７】
温水タンク３の上部にバキュームブレーカ２０が設けられている。このバキュームブレーカ２０は、第８，９図に示すように、温水タンク３の上面に設けられた開口１５と、該開口１５の上縁から突設された複数個の凸部１６と、該開口１５の周囲から上方に突設された囲壁２１と、該囲壁２１に蓋をするように被装されて固定されたハウジング２２と、該ハウジング２２の下方に配置された止水弁体２５とを備えている。
【０００８】
ハウジング２２は、ハット形断面形状のものであり、囲壁２１に固定されている。このハウジング２２からは側方に枝管状の通気筒２４が突設されている。ハウジング２２の下面にはシート部２３が周設されている。
【０００９】
止水弁体２５は、弁板部２６と、該弁板部２６から上方に突設された突部２７とを有しており、該弁板部２６が前記凸部１６に着座可能となっている。また、弁板部２６は、上方に移動して前記シート部２３に密着可能となっている。突部２７はハウジング２２内に入り込んでおり、止水弁体２５の上下動の案内を行う。
【００１０】
弁２が開弁して温水が温水タンク３から流出するときには、第９図のように水圧によって止水弁体２５が押し上げられ、弁板部２６の上面がシート部２３に密着する。弁２が閉弁すると、止水弁体２５が下降し、凸部１６に着座する。
【００１１】
この凸部１６が温水タンク３の上面と弁板部２６との間に介在することにより、両者の間に隙間が生じ、温水タンク３内が該隙間及び通気筒２４を介して大気に開放する。
【００１２】
このように温水タンク３内を大気に開放することにより、ノズル１１，１３側から水が逆流することが防止される。
【００１３】
このように構成された温水洗浄装置において、シャワースイッチ（図示略）を操作すると、弁２が開弁すると共に、切替弁９が配管８と配管１０とを連通させる。これにより、温かい温水がシャワーノズル１１へ供給され、シャワー洗浄が開始する。このときの洗浄強さは流量調節弁７によって調節することができる。
【００１４】
ストップスイッチ（図示略）を操作すると、弁２が閉弁する。なお、この場合、切替弁９はそのままとされてもよく、配管１０，１２を連通するように切替動作されてもよい。
【００１５】
同様に、ビデスイッチ（図示略）を操作すると、切替弁９は配管８，１２を連通させ、ビデノズル１３へ温かい温水を供給してビデ洗浄を開始させる。ストップスイッチを操作すると弁２が閉弁する。
【００１６】
このようなバキュームブレーカ付き温水タンクを有する温水洗浄装置において、少量の水が通気筒２４を介して温水タンク３外へ流出することがある。従来、この通気筒２４からの流出水は該温水タンク３を伝わり落ち、温水タンク３を載置しているトレー（図示略）上に流れ落ち、このトレーから洋風便器の便鉢へ排出されるよう構成されている。
【００１７】
【発明が解決しようとする課題】
近年、この温水洗浄装置の高機能化が進んでおり、該温水洗浄装置を収納しているケーシング（便座ボックス又はロータンクカバー）内のスペースに余裕がなくなってきている。そして温水タンクを載置しているトレーもこれを省略し、代りに通気筒２４にホースをつなぎ、該ホースによって水を便鉢に排出することが検討されている。
【００１８】
ところが、このホースを用いたタイプの温水洗浄装置にあっては、該ホース内に水が残留し、通気筒と大気との連通が阻害されることがある。
【００１９】
本発明は、このようなホース内の水の残留を防止することができるバキュームブレーカを提供することを目的とする。
【００２０】
【課題を解決するための手段】
本発明のバキュームブレーカは、下面にシート部を有したハウジングと、該ハウジングの下側に配置されており、該シート部に対し接触及び離反可能な止水弁体と、該ハウジングから突設された通気筒とを有し、該ハウジング内が該通気筒を介して大気に連通されるバキュームブレーカにおいて、該ハウジング又は通気筒に、大気連通用の小孔を設けたバキュームブレーカであって、該小孔は該通気筒に設けられており、該通気筒の該小孔よりも先端側に排水用のホースが接続されていることを特徴とするものである。
【００２１】
かかるバキュームブレーカにあっては、通気筒が小孔によって常に大気に連通するため、ホース内の水がスムーズに便鉢に流れ落ちるようになる。
【００２２】
また、残留水によるホースの閉塞が防止され、該ホースを介して温水タンクが大気に連通すると共に、小孔を介して温水タンク内が大気に連通するので、温水タンク内の負圧を確実に解消することができる。
【００２３】
なお、本発明のバキュームブレーカは、温水タンク内の負圧解消だけでなく、バルブ等の内部の負圧解消にも用いることができる。
【００２４】
本発明にあっては、小孔は該通気筒に設けられており、該通気筒の該小孔よりも先端側に排水用のホースが接続されている。このため、ホースの上端側が常に大気に開放した状態となっており、ホース内の水が該ホース内に溜ることなく、スムーズに便鉢に流出する。
【００２５】
この場合、小孔に異物が入り込むのを防止するためのカバーを設けるのが好ましい。
【００２６】
また、このカバーの一部をハウジングとホースの端面との間に介在させることが好ましい。このように構成することにより、ホースが通気筒に過度に深く差し込まれて小孔が塞がることが防止される。
【００２７】
【発明の実施の形態】
以下、第１〜６図を参照して実施の形態について説明する。
【００２８】
第１，２図は本発明の実施の形態に係るバキュームブレーカ２０Ａを示す断面図と要部斜視図である。この実施の形態にあっては、バキュームブレーカ２０Ａのハウジング２２から突設された通気筒２４の基端側に小孔３０が設けられ、この通気筒２４の先端側にホース３１が差し込まれている。このホース３１は、洋風便器の便鉢へ水を排出するように延設されている。このホース３１を設けたことにより、温水タンク３を載置するトレーが不要となっている。
【００２９】
この実施の形態においても、ハウジング２２は温水タンク３の上面のバキュームブレーカ２０Ａの一部を構成しており、第１，２図のその他の構成は第８，９図と同一である。また、このバキュームブレーカ２０Ａを組み込んだ温水洗浄装置の構成も第７図と同一である。
【００３０】
このように構成されたバキュームブレーカ２０Ａにあっても、止水弁体２５が凸部１６上に載った第１図の状態において、温水タンク３内が小孔３０及びホース３１を介して大気に連通しており、温水タンク３内に負圧が生じることが防止される。
【００３１】
また、通気筒２４に小孔３０を設けているので、ホース３０の上端側が常に大気に開放した状態となっており、ホース３０内の水が該ホース３０内に溜ることなく、スムーズに便鉢に流出する。
【００３２】
なお、このバキュームブレーカ２０Ａを備えた温水洗浄装置の作動は第７図の場合と全く同一である。
【００３３】
本発明にあっては、第３〜５図に示すように、通気筒２４の基端側にカバー３３を装着してもよい。このカバー３３は下向きコ字形状のものであり、通気筒２４に対し上方から嵌合される。このカバー３３は、小孔３０に異物（例えば空気中の塵）が入ることを防止する。このカバー３３は、第３図の通り小孔３０から離隔しており、小孔３０は常に大気に接している。
【００３４】
また、このカバー３３は、ハウジング２２とホース３１の端面との間に介在しており、ホース３１が通気筒２４に過度に深く差し込まれて小孔３０に被さることが防止される。
【００３５】
上記実施の形態にあっては、バキュームブレーカ２０Ａは温水タンク３に装着されているが、第６図のように電磁弁５等のバルブ内のバキュームブレークのために設けられてもよい。
【００３６】
第６図は、湯水混合弁４０によって湯と水を混合して適温の温水とし、これをシャワーノズル１１又はビデノズル１３へ供給するようにした温水洗浄装置の系統図である。
【００３７】
この湯水混合弁４０の混合水流出口に電磁弁５の流入口が接続されており、この電磁弁５の流出口に配管６が接続されている。配管６よりも下流側の構成は前記第７図と同一である。
【００３８】
この電磁弁５にバキュームブレーカ２０Ａが取り付けられ、その通気筒２４にホース３１が接続されている。通気筒２４には小孔３０（第６図では図示略）が設けられている。このバキュームブレーカ２０Ａのハウジング２２内は電磁弁５の２次側流路に常時連通している。
【００３９】
このように構成された第６図の温水洗浄装置において、シャワースイッチ（図示略）を操作すると、電磁弁５が開弁すると共に、切替弁９が配管８と配管１０とを連通させる。これにより、適温の混合水がシャワーノズル１１へ供給され、シャワー洗浄が開始する。このときの洗浄強さは流量調節弁７によって調節することができる。
【００４０】
ストップスイッチ（図示略）を操作すると、電磁弁５が閉弁する。なお、この場合、切替弁９はそのままとされてもよく、配管１０，１２を連通するように切替動作されてもよい。
【００４１】
同様に、ビデスイッチ（図示略）を操作すると、電磁弁５が開弁すると共に、切替弁９は配管８，１２を連通させ、ビデノズル１３へ適温の混合水を供給してビデ洗浄を開始させる。ストップスイッチを操作すると電磁弁５が閉弁する。
【００４２】
この電磁弁５が閉弁している状態において、該電磁弁５の２次側流路は、バキュームブレーカ２０Ａを介して大気に連通しているので、負圧発生が防止される。
【００４３】
電磁弁５からホース３１に流出した水は、ホース３１から便鉢へスムーズに流出する。
【００４４】
【発明の効果】
以上の通り、本発明のバキュームブレーカは、温水タンクや電磁弁等の内部の負圧発生を防止するものであって、この温水タンクや電磁弁等から排出される水をホースによって常にスムーズに排出することができる。
【図面の簡単な説明】
【図１】実施の形態に係るバキュームブレーカの断面図である。
【図２】図１のバキュームブレーカの要部斜視図である。
【図３】別の実施の形態に係るバキュームブレーカの断面図である。
【図４】図３のバキュームブレーカの要部斜視図である。
【図５】図３，４のカバー３３の縦断面図である。
【図６】実施の形態に係るバキュームブレーカを備えた電磁弁を有する温水洗浄装置の系統図である。
【図７】従来のバキュームブレーカを備えた温水洗浄装置の系統図である。
【図８】従来のバキュームブレーカの大気連通時の断面図である。
【図９】従来のバキュームブレーカの大気遮断時の断面図である。
【符号の説明】
３  温水タンク
５  電磁弁
１１，１３  洗浄ノズル
２０，２０Ａ  バキュームブレーカ
２４  通気筒
２５  止水弁体
３０  小孔
３１  ホース
３３  カバー
４０  湯水混合弁
【図１】
0003709763.tif 000002
【図２】
0003709763.tif 000003
【図３】
0003709763.tif 000004
【図４】
0003709763.tif 000005
【図５】
0003709763.tif 000006
【図６】
0003709763.tif 000007
【図７】
0003709763.tif 000008
【図８】
0003709763.tif 000009
【図９】
0003709763.tif 000010